(57)【要約】【課題】上ケースがないと蒸気排出容器を蓋部に装着できないようにする炊飯器を提供する。【解決手段】炊飯器は、内釜が出し入れ自在に収納され、収納された前記内釜を加熱する加熱手段を有する本体部と、本体部に回動自在に設けられ、本体部に収納された内釜の開口を開閉する蓋部と、蓋部に設けられた装着穴に取り外し自在に嵌合されて装着され、炊飯中に内釜内に発生するおねばを含む蒸気を取り込んでおねばと蒸気とを分離し、蒸気のみを外へ排出する蒸気排出容器とを有する炊飯器において、蒸気排出容器は、蓋部の装着穴に嵌合される取付筒部を有する上ケースと、取付筒部が取り外し自在に貫通し、上ケース内に嵌合して上部開口が閉塞される下ケースとを備えている。【選択図】図２
2018038461.tif 000002
【特許請求の範囲】
【請求項１】
内釜が出し入れ自在に収納され、収納された前記内釜を加熱する加熱手段を有する本体部と、前記本体部に回動自在に設けられ、当該本体部に収納された内釜の開口を開閉する蓋部と、前記蓋部に設けられた装着穴に取り外し自在に嵌合されて装着され、炊飯中に前記内釜内に発生するおねばを含む蒸気を取り込んでおねばと蒸気とを分離し、蒸気のみを外へ排出する蒸気排出容器とを有する炊飯器において、
前記蒸気排出容器は、
前記蓋部の装着穴に嵌合される取付筒部を有する上ケースと、
前記取付筒部が取り外し自在に貫通し、前記上ケース内に嵌合して上部開口が閉塞される下ケースとを備えたことを特徴とする炊飯器。
【請求項２】
前記取付筒部の内部には、炊飯中に発生する前記内釜からの蒸気を当該取付筒部内に案内する案内筒が設けられ、
前記取付筒部の前記案内筒を除く底部には、蒸気圧に応じて上下動し、蒸気から分離されたおねばを前記内釜に戻す開閉弁が設けられていることを特徴とする請求項１記載の炊飯器。
【請求項３】
前記上ケースの内側の周縁部には、前記下ケースの上部開口を密閉する第１パッキンが設けられ、
前記下ケースの底部には、前記取付筒部が貫通する貫通穴が設けられていることを特徴とする請求項１又は２記載の炊飯器。
【請求項４】
前記下ケースの貫通穴には、前記取付筒部の外周面に接触する第２パッキンが設けられていることを特徴とする請求項３記載の炊飯器。
【請求項５】
前記取付筒部には、前記下ケースの貫通穴内に位置するように、外周面に内側に凹んで形成された溝と、前記溝に嵌め込まれた第３パッキンとが設けられていることを特徴とする請求項３記載の炊飯器。
【請求項６】
前記装着穴には、前記取付筒部の外周面に接触する第４パッキンが設けられていることを特徴とする請求項１〜５の何れか１項に記載の炊飯器。
【請求項７】
前記下ケースには、当該下ケースの貫通穴の周囲を囲む壁部が設けられていることを特徴とする請求項３〜６の何れか１項に記載の炊飯器。
【請求項８】
前記上ケース及び前記下ケースには、互いに係止する係止部が設けられていることを特徴とする請求項１〜７の何れか１項に記載の炊飯器。
【請求項９】
前記蒸気排出容器の下ケースの有無を検知する容器検知手段と、
炊飯キーからの炊飯開始の指示を検知すると、前記容器検知手段により前記下ケースの装着が検知されたかどうかを判定し、前記下ケースの装着を検知しないときには炊飯開始を停止する制御手段とを備えたことを特徴とする請求項１〜８の何れか１項に記載の炊飯器。
【請求項１０】
報知手段を備え、
前記制御手段は、前記容器検知手段により前記下ケースの装着が検知されなかったときには、前記下ケースの装着を前記報知手段を通して促すことを特徴とする請求項９記載の炊飯器。
【発明の詳細な説明】
【技術分野】
【０００１】
本発明は、おねばと蒸気を分離し、蒸気のみを外へ排出する蒸気排出容器を備えた炊飯器に関するものである。
【背景技術】
【０００２】
従来の炊飯器には、内釜を収納する本体部と、この本体部に収納された内釜を開閉する蓋部と、内釜を加熱する加熱手段と、蓋部の上部に取り外し自在に装着され、上ケースと下ケースとで構成される蒸気排出容器とを備えたものがある（例えば、特許文献１参照）。
【先行技術文献】
【特許文献】
【０００３】
【特許文献１】特開平１１−２４４１３９号公報
【発明の概要】
【発明が解決しようとする課題】
【０００４】
前述した従来の炊飯器では、蒸気排出容器そのものが蓋部に装着されていない状態、あるいは蒸気排出容器の上ケースがない状態で炊飯を開始してしまうと、吹きこぼれが発生するという課題があった。
【０００５】
本発明は、前述のような課題を解決するためになされたもので、上ケースがないと蒸気排出容器を蓋部に装着できないようにする炊飯器を提供することを目的とする。
【課題を解決するための手段】
【０００６】
本発明に係る炊飯器は、内釜が出し入れ自在に収納され、収納された前記内釜を加熱する加熱手段を有する本体部と、本体部に回動自在に設けられ、本体部に収納された内釜の開口を開閉する蓋部と、蓋部に設けられた装着穴に取り外し自在に嵌合されて装着され、炊飯中に内釜内に発生するおねばを含む蒸気を取り込んでおねばと蒸気とを分離し、蒸気のみを外へ排出する蒸気排出容器とを有する炊飯器において、蒸気排出容器は、蓋部の装着穴に嵌合される取付筒部を有する上ケースと、取付筒部が取り外し自在に貫通し、上ケース内に嵌合して上部開口が閉塞される下ケースとを備えたものである。
【発明の効果】
【０００７】
本発明によれば、蓋部の装着穴に嵌合される取付筒部を有する上ケースと、取付筒部が取り外し自在に貫通し、上ケース内に嵌合して上部開口が閉塞される下ケースとを備えたものである。この構成により、上ケースのない下ケースのみでの蓋部への装着ができないようになる。このため、使用者にとって蒸気排出容器を蓋部に装着したかどうかを容易に確認でき、下ケースのみで炊飯されるということを防止できる。
【図面の簡単な説明】
【０００８】
【図１】本発明の実施の形態１に係る炊飯器の外観を示す斜視図である。
【図２】図１に示す炊飯器の縦断面図である。
【図３】図１の蒸気排出容器及び蓋部の一部を拡大して示す縦断面図である。
【図４】図３の蒸気排出容器を分解して示す縦断面図である。
【図５】図３の蒸気排出容器の変形例１を示す縦断面図である。
【図６】図３の蒸気排出容器の変形例２を示す縦断面図である。
【図７】図３の蒸気排出容器の変形例３を示す縦断面図である。
【図８】本発明の実施の形態２に係る炊飯器の蒸気排出容器及び蓋部の一部を示す縦断面図及び下ケースの有無の検知に関わる概略ブロック構成図である。
【発明を実施するための形態】
【０００９】
実施の形態１．
図１は本発明の実施の形態１に係る炊飯器の外観を示す斜視図、図２は図１に示す炊飯器の縦断面図、図３は図１の蒸気排出容器及び蓋部の一部を拡大して示す縦断面図である。
本実施の形態１に係る炊飯器１００は、図１及び図２に示すように、内釜１１が出し入れ自在に収納され、収納された内釜１１を加熱する加熱手段である誘導加熱コイル１２を有する本体部１０と、本体部１０に回動自在に設けられ、本体部１０に収納された内釜１１の開口を開閉する蓋部３０と、本体部１０の前部に設けられた操作表示部５０と、蓋部３０の上部に取り外し自在に装着され、炊飯中に内釜１１内に発生するおねばを含む蒸気を取り込んでおねばと蒸気とを分離し、蒸気のみを炊飯器１００の外へ排出する蒸気排出容器７０とを備えている。
【００１０】
本体部１０は、側面部が筒状に形成された外枠１３と、外枠１３の上部に設けられた上枠１４と、外枠１３の下部に設けられ、本体部１０の底板１６を形成する下枠１５とで外郭が構成されている。また、本体部１０は、筒形状の内遮熱板１７と、内遮熱板１７の外周面に密着して取り付けられた胴ヒーター１８と、内遮熱板１７の下に設置されたほぼ深皿形状のコイル台１９と、誘導加熱コイル１２の下方に設置されたフェライト２０と、コイル台１９の中央部に設けられた温度センサー２１と、電源基板２２とを備えている。この本体部１０には、内遮熱板１７とコイル台１９とで有底筒形状の内釜収納部２３が形成されている。
【００１１】
前述の誘導加熱コイル１２は、通電により交番磁界を発生し、内釜１１を電磁誘導により加熱する。胴ヒーター１８は、炊飯時および保温時に通電されて発熱する。フェライト２０は、誘導加熱コイル１２から放出されるノイズを低減する防磁材により形成されている。温度センサー２１は、例えばサーミスタからなり、内釜１１の底部に当接して内釜１１の温度を検出する。
【００１２】
電源基板２２には、胴ヒーター１８に通電する胴ヒーター通電回路、後述する蓋ヒーター３７に通電する蓋ヒーター通電回路、交流電力を直流電力に変換する整流回路、整流回路からの直流電力を高周波電力に変換し誘導加熱コイル１２に供給するインバーター回路、インバーター回路を制御する加熱制御回路等が実装されている。インバーター回路のスイッチング素子には放熱フィンが設けられている。
【００１３】
蓋部３０は、上蓋３１と、上蓋３１の下側に取り付けられ、後方にヒンジ部３３を備えた下蓋３２と、下蓋３２に取り外し自在に装着された内蓋３４とを備え、本体部１０の上枠１４の開口を閉じたときに係止ボタン４０により係止される。上蓋３１の中央部には、蒸気排出容器７０を収容する凹部３５が設けられている。下蓋３２には、内釜１１側に配置された仕切板３６と、仕切板３６の上面に設置された渦巻状の蓋ヒーター３７とが設けられている。蓋ヒーター３７は、胴ヒーター１８と同様に、炊飯時および保温時に通電されて発熱する。
【００１４】
蓋部３０には、蒸気排出容器７０が取り外し自在に嵌合されて装着される装着穴３８が設けられている。つまり、この装着穴３８は、中心軸を同一として上蓋３１の凹部３５と下蓋３２の仕切板３６に設けられている。装着穴３８の内周部には、後述する取付筒部７１Ｂの外周面に接触する第４パッキン３９が設けられている。内蓋３４の内釜１１側の周縁部には、例えばシリコンゴムによりリング状に形成されたパッキン３４ａが取り付けられている。また、内蓋３４は、前述の装着穴３８に対向する部分に、内釜１１側に凹んで形成された蒸気抜き部３４ｂが設けられている。この蒸気抜き部３４ｂには、内釜１１内の蒸気を抜くための蒸気穴３４ｃが設けられている。
【００１５】
操作表示部５０は、炊飯キー、保温キー、機能設定キー等を有する操作部５１と、この操作部５１の設定に応じて炊飯動作、炊飯機能等を表示する表示部５２（図２参照）とを備えている。この操作表示部５０には、表示部５２と対向する位置に表示窓５２ａが設けられている（図１参照）。本体部１０の内側の前部には、操作表示部５０に対向する位置に操作基板５３が設置されている。この操作基板５３には、操作部５１からの信号に応じて、電源基板２２の加熱制御回路、胴ヒーター通電回路、蓋ヒーター通電回路等を動作させる指令信号を出力すると共に、炊飯動作を表示部５２に表示する炊飯制御部、電子部品等が実装されている。
【００１６】
蒸気排出容器７０は、図２及び図３に示すように、蒸気のみを炊飯器１００の外へ排出する蒸気口７１ａが設けられた上ケース７１と、上ケース７１内に嵌合して上部開口が閉塞される下ケース７２とを備えている。上ケース７１には、内側から鉛直方向に延びて上ケース７１から露出する取付筒部７１ｂが設けられている。取付筒部７１ｂの蒸気口７１ａ側の側壁には、おねばの分離された蒸気を流出させる蒸気流出穴７１ｃが設けられている。また、上ケース７１の内側の周縁部には、下ケース７２の上部開口を密閉する第１パッキン７１ｄが設けられている。
【００１７】
取付筒部７１ｂの内部には、炊飯中に発生する内釜１１からの蒸気を取付筒部７１ｂ内に案内する案内筒７１ｅが設けられている。また、取付筒部７１ｂの案内筒７１ｅを除く底部７１ｆには、蒸気圧に応じて上下動し、取付筒部７１ｂ内で蒸気から分離されたおねばを内釜１１に戻す開閉弁７１ｇが設けられている。開閉弁７１ｇは、炊飯中の蒸気圧により上方へ移動して穴７１ｈを閉塞し、蒸気圧が炊飯中よりも低くなったときに下方へ下がって穴７１ｈを開く。なお、炊飯中に底部７１ｆに溜まったおねばは、開閉弁７１ｇにより穴７１ｈが開いたときに下方へ落下し、蒸気穴３４ｃを通って内釜１１内に戻る。
【００１８】
下ケース７２の底部には、取付筒部７１ｂが貫通する貫通穴７２ａが設けられている。この貫通穴７２ａには、取付筒部７１ｂの外周面に接触する第２パッキン７２ｂが設けられている。
【００１９】
上ケース７１及び下ケース７２には、互いに係止する係止部が設けられている。この係止部は、例えば、上ケース７１の操作表示部５０側の前部７１ｉに設けられた凹部７１ｊと、下ケース７２の操作表示部５０側の前部に設けられ、上ケース７１の凹部７１ｊに係合するフック７２ｃとで構成されている。このフック７２ｃは、図示していないが、バネによって下ケース７２側に付勢されている。また、上ケース７１の蒸気口７１ａ側の後部の支持部７１ｋには軸７１ｍが設けられている。下ケース７２の後部に互いに対向して設けられた一対の支持部７２ｄに、上ケース７１の軸７１ｍが着脱自在に嵌め込まれる穴７２ｅが設けられている（図４参照）。
【００２０】
次に、蒸気排出容器７０の組み立てと蒸気排出容器７０の蓋部３０への装着について、図３及び図４について説明する。図４は図３の蒸気排出容器を分解して示す縦断面図である。
蒸気排出容器７０を組み立てる場合、先ず、上ケース７１の取付筒部７１ｂを下ケース７２の貫通穴７２ａに貫通させると共に、上ケース７１の軸７１ｍを下ケース７２の支持部７２ｄの間に嵌め込んで各穴７２ｅに挿入する。
【００２１】
次いで、上ケース７１内に下ケース７２を嵌め込む。この時、下ケース７２のフック７２ｃが上ケース７１の凹部７１ｊに係止される。この上ケース７１と下ケース７２の組み立てにより蒸気排出容器７０が構成される。この場合、上ケース７１の第１パッキン７１ｄにより下ケース７２の上部開口が密閉状態で閉塞され、上ケース７１の取付筒部７１ｂは、第２パッキン７２ｂによって密閉された状態で、貫通穴７２ａを貫通する。
【００２２】
そして、この蒸気排出容器７０の下ケース７２から露出する取付筒部７１ｂを蓋部３０に設けられた装着穴３８に嵌合して、蒸気排出容器７０を蓋部３０に装着する。この場合、取付筒部７１ｂは、第４パッキン３９によって密閉された状態で、装着穴３８に嵌合される。
【００２３】
以上のように本実施の形態１によれば、上ケース７１内に下ケース７２を嵌合して蒸気排出容器７０を構成した場合、上ケース７１の取付筒部７１ｂが下ケース７２から露出し、この露出した取付筒部７１ｂを蓋部３０の装着穴３８に嵌合して装着するようにしている。この構成により、上ケース７１のない下ケース７２のみでの蓋部３０への装着ができないようになる。このため、使用者にとって蒸気排出容器７０を蓋部３０に装着したかどうかを容易に確認でき、下ケース７２のみで炊飯されるということを防止できる。
【００２４】
また、上ケース７１内に下ケース７２を嵌め込んだときに、上ケース７１の第１パッキン７１ｄで下ケース７２の上部開口を密閉状態で閉塞し、下ケース７２の貫通穴７２ａを貫通した上ケース７１の取付筒部７１ｂの外周面を第２パッキン７２ｂでシールする構成となっている。このため、おねばが蒸気排出容器７０から漏れることを防止できる。
【００２５】
（変形例１）
図５は図３の蒸気排出容器の変形例１を示す縦断面図である。なお、実施の形態１と同様の部分には同じ符号を付し、実施の形態１と異なる部分だけを説明する。
変形例１の蒸気排出容器７０においては、下ケース７２に貫通穴７２ａの周囲を囲む壁部７２ｆを設けたものである。
【００２６】
この壁部７２ｆは、上ケース７１の取付筒部７１ｂを下ケース７２の貫通穴７２ａから引き抜いた際に、取付筒部７１ｂの底部７１ｆに設けられた開閉弁７１ｇの穴７１ｈから垂れたおねばが貫通穴からこぼれないようにするためである。つまり、貫通穴７２ａから取付筒部７１ｂを引き抜いた際に、取付筒部７１ｂを壁部７２ｆの外側に持って行くことで、穴７１ｈから垂れたおねばは、壁部７２ｆによって貫通穴７２ａに流れ込むということがなくなる。
【００２７】
（変形例２）
図６は図３の蒸気排出容器の変形例２を示す縦断面図である。なお、実施の形態１と同様の部分には同じ符号を付し、実施の形態１と異なる部分だけを説明する。
変形例２の蒸気排出容器７０においては、下ケース７２の貫通穴７２ａに設けられた第２パッキン７２ｂに代えて、取付筒部７１ｂに第３パッキンを設けたものである。
【００２８】
この取付筒部７１ｂには、下ケース７２の貫通穴７２ａ内に位置するように、取付筒部７１ｂの外周面に内側に凹んで形成された溝７１ｎと、溝７１ｎに嵌め込まれたリング形状の第３パッキン７１ｐとが設けられている。この第３パッキン７１ｐにより、下ケース７２の貫通穴７２ａに密閉状態で取付筒部７１ｂを嵌合することができる。
【００２９】
（変形例３）
図７は図３の蒸気排出容器の変形例３を示す縦断面図である。なお、実施の形態１と同様の部分には同じ符号を付し、実施の形態１と異なる部分だけを説明する。
変形例３の蒸気排出容器７０においては、上ケース７１の軸７１ｍを下ケース７２の支持部７２ｄの間に嵌め込んで各穴７２ｅに挿入して、蒸気排出容器７０の後部側を支持するに代えて、上ケース７１と下ケース７２とを係止部で取り付けるようにしたものである。
【００３０】
つまり、実施の形態１で述べたように、上ケース７１の操作表示部５０側の前部７１ｉに設けられた凹部７１ｊと下ケース７２の操作表示部５０側の前部に設けられたフック７２ｃに加えて、上ケース７１と下ケース７２の後部側に係止部を設けたものである。この係止部は、上ケース７１の蒸気口７１ａ側の後部の後部７１ｑに設けられた凹部７１ｒと、下ケース７２の蒸気口７１ａ側の後部に設けられ、上ケース７１の凹部７１ｒに係合するフック７２ｇとで構成されている。このフック７２ｃは、図示していないが、バネによって下ケース７２側に付勢されている。
【００３１】
変形例３においては、上ケース７１と下ケース７２とを前後で取り付けるようにしているので、上ケース７１の取り付けを容易にでき、上ケース７１と下ケース７２とをシール製を保った状態で上ケース７１を保持することができる。
【００３２】
実施の形態２．
図８は本発明の実施の形態２に係る炊飯器の蒸気排出容器及び蓋部の一部を示す縦断面図及び下ケースの有無の検知に関わる概略ブロック構成図である。なお、実施の形態１と同様の部分には同じ符号を付し、実施の形態１と異なる部分だけを説明する。
本実施の形態２においては、下蓋３２の仕切板２６上に、容器検知手段であるリードスイッチ８０が設置されている。また、蒸気排出容器７０の下ケース７２のリードスイッチ８３と対向する位置にマグネット８１が設置されている。
【００３３】
リードスイッチ８０は、上ケ−ス７１と下ケース７２とで構成される蒸気排出容器７０の蓋部３０に装着されるとマグネット８１からの磁力によってオンする。この時、リードスイッチ８０からオン信号を操作基板５３の炊飯制御部５４に出力する。また、蒸気排出容器７０が蓋部３０から取り外された場合には、リードスイッチ８０は、マグネット８１からの磁力を受けないためオフとなり、リードスイッチ８０からのオン信号の出力が遮断される。
【００３４】
制御手段の機能を有する炊飯制御部５４は、炊飯キーからの炊飯開始の指示を検知した後に、リードスイッチ８０からのオン信号が入力されないときには、蒸気排出容器７０の下ケース７２が上ケースに設けられていないと判定して、報知手段である表示部５２に「蒸気排出容器７０の下ケース７２が有りません。下ケース７２を装着して下さい。」というメッセージを表示すると共に、ブザー音で報知する。つまり、炊飯制御部５４は、操作部５１の炊飯キーがオンされていても、下ケース７２が上ケースに設けられていないと判定したときには、炊飯を行うことがない。また、炊飯制御部５４は、炊飯キーのオンを検知し、リードスイッチ８０からのオン信号が入力されたときには、炊飯開始信号を加熱制御回路２４に出力する。
【００３５】
以上のように本実施の形態２によれば、炊飯キーのオンの後に、リードスイッチ８０からのオン信号が入力されないときには、表示部５２に蒸気排出容器７０の下ケース７２がない旨を表示するようにしているので、下ケース７２がないまま炊飯が行われるということがない。このため、吹きこぼれの心配がなく、安全に炊飯器１００を使用することができる。
【００３６】
なお、本実施の形態２では、容器検知手段としてリードスイッチ８０を用いたことを述べたが、蒸気排出容器７０の下ケース７２の有無を検知できるようなセンサーであれば良い。
【００３７】
また、実施の形態１、２では、上ケース７１の内側の周縁部に、下ケース７２の上部開口を密閉する第１パッキン７１ｄを設けた構成としたが、これに限定されるものではない。例えば、下ケース７２側にパッキンを設け、上ケース７１内に下ケース７２を嵌合した際に、下ケース７２の上部開口がパッキンにより密閉状態で閉塞されるようにしても良い。
【符号の説明】
【００３８】
１  本体部、１１  内釜、１２  誘導加熱コイル、１３  外枠、１４  上枠、１５  下枠、１６  底板、１７  内遮熱板、１８  胴ヒーター、１９  コイル台、２０  フェライト、２１  温度センサー、２２  電源基板、２３  内釜収納部、２４  加熱制御回路、３０  蓋部、３１  上蓋、３２  下蓋、３３  ヒンジ部、３４  内蓋、３４ａ  パッキン、３４ｂ  蒸気抜き部、３４ｃ  蒸気穴、３５  凹部、３６  仕切板、３７  蓋ヒーター、３８  装着穴、３９  第４パッキン、４０  係止ボタン、５０  操作表示部、５１  操作部、５２  表示部、５２ａ  表示窓、５３  操作基板、５４  炊飯制御部、７０  蒸気排出容器、７１  上ケース、７１ａ  蒸気口、７１ｂ  取付筒部、７１ｃ  蒸気流出穴、７１ｄ  第１パッキン、７１ｅ  案内筒、７１ｆ  底部、７１ｇ  開閉弁、７１ｈ  穴、７１ｉ  前部、７１ｊ  凹部、７１ｋ  支持部、７１ｍ  軸、７１ｎ  溝、７１ｐ  第３パッキン、７１ｑ  後部、７１ｒ  凹部、７２  下ケース、７２ａ  貫通穴、７２ｂ  第２パッキン、７２ｃ  フック、７２ｄ  ７２ｄ  支持部、７２ｅ  穴、７２ｆ  壁部、７２ｇ  凹部、８０  リードスイッチ、８１  マグネット、１００  炊飯器。
【図１】
2018038461.tif 000003
【図２】
2018038461.tif 000004
【図３】
2018038461.tif 000005
【図４】
2018038461.tif 000006
【図５】
2018038461.tif 000007
【図６】
2018038461.tif 000008
【図７】
2018038461.tif 000009
【図８】
2018038461.tif 000010